(57)【要約】【課題】装置の検証や復旧にかかる負担を軽減することができる情報処理装置、及びその情報処理装置により実行されるコンピュータプログラムを提供すること【解決手段】情報処理装置１０は、外部記憶媒体２００が接続されるように構成されたインタフェース５と、そのインタフェース５にアクセス可能な演算処理装置１と、その演算処理装置１によって実行される処理起動プログラム２０が格納された第１記憶装置２とを備える。情報処理装置１０の起動時、演算処理装置１は、処理起動プログラム２０を実行することによって、インタフェース５に接続された外部記憶媒体２００から、所定のファイル２２０を検索する。外部記憶媒体２００に所定のファイル２２０が格納されている場合、演算処理装置１は、所定のファイル２２０を外部記憶媒体２００，３００から読み込み実行する。【選択図】      図４
2006228153.tif 000002
【特許請求の範囲】
【請求項１】
外部記憶媒体が接続されるように構成されたインタフェースと、
前記インタフェースにアクセス可能な演算処理装置と、
前記演算処理装置によって実行される処理起動プログラムが格納された第１記憶装置と
を具備し、
起動時、前記演算処理装置は、前記処理起動プログラムを実行することによって、前記インタフェースに接続された前記外部記憶媒体から、所定のファイルを検索し、
前記外部記憶媒体に前記所定のファイルが格納されている場合、前記演算処理装置は、前記所定のファイルを前記外部記憶媒体から読み込み実行する
情報処理装置。
【請求項２】
請求項１に記載の情報処理装置であって、
前記所定のファイルの名前は、前記処理起動プログラム内に設定されている
情報処理装置。
【請求項３】
請求項１又は２に記載の情報処理装置であって、
更に、前記演算処理装置によりアクセスされる第２記憶装置を具備し、
前記所定のファイルは、前記演算処理装置により実行され前記第２記憶装置を検査・復旧するためのプログラムである
情報処理装置。
【請求項４】
請求項１又は２に記載の情報処理装置であって、
前記所定のファイルは、所定のプログラムが指定されたスクリプトファイルである
情報処理装置。
【請求項５】
請求項４に記載の情報処理装置であって、
前記スクリプトファイルには、前記所定のプログラムの名前が記載された
情報処理装置。
【請求項６】
請求項４又は５に記載の情報処理装置であって、
起動時、前記演算処理装置は、前記インタフェースに接続された前記外部記憶媒体から、前記所定のプログラムを読み込み実行する
情報処理装置。
【請求項７】
請求項６に記載の情報処理装置であって、
更に、前記演算処理装置によりアクセスされる第２記憶装置を具備し、
前記所定のプログラムは、前記演算処理装置により実行され前記第２記憶装置を検査・復旧するためのプログラムである
情報処理装置。
【請求項８】
外部記憶媒体が接続されるように構成されたインタフェースと、
前記インタフェースにアクセス可能な演算処理装置と、
前記演算処理装置によって実行される処理起動プログラムが格納された不揮発性記憶装置と
を具備し、
起動時、前記演算処理装置は、前記処理起動プログラムを実行することによって、前記インタフェースに接続された前記外部記憶媒体から、所定のファイルを検索し、
前記外部記憶媒体に前記所定の用ファイルが格納されている場合、前記演算処理装置は、前記所定のファイルを前記外部記憶媒体から読み込み実行する
携帯端末装置。
【請求項９】
情報処理装置の起動時に実行されるプログラムであって、
前記情報処理装置は、外部記憶媒体が接続されるように構成されたインタフェースと、前記インタフェースにアクセス可能な演算処理装置とを備え、
前記プログラムは、
（Ａ）前記情報処理装置の起動時に、前記インタフェースに接続された前記外部記憶媒体から、所定のファイルを検索するステップと、
（Ｂ）前記外部記憶媒体に前記所定のファイルが格納されている場合、前記所定のファイルを前記外部記憶媒体から読み込み実行するステップと
を前記演算処理装置に実行させる
プログラム。
【請求項１０】
請求項９に記載のプログラムであって、
前記（Ａ）ステップにおいて、予め設定されたファイル名に基づいて、前記所定のファイルの検索が実行される
プログラム。
【請求項１１】
請求項９又は１０に記載のプログラムであって、
前記情報処理装置は、前記演算処理装置によりアクセスされる記憶装置を更に備え、
前記所定のファイルは、前記演算処理装置により実行され前記記憶装置を検査・復旧するための検査・復旧プログラムである
プログラム。
【請求項１２】
請求項９又は１０に記載のプログラムであって、
前記所定のファイルは、所定のプログラムが指定されたスクリプトファイルである
プログラム。
【請求項１３】
請求項１２に記載のプログラムであって、
更に、
（Ｃ）前記インタフェースに接続された前記外部記憶媒体から、前記所定のプログラムを読み込み実行するステップを
前記演算処理装置に実行させる
プログラム。
【請求項１４】
請求項１３に記載のプログラムであって、
前記情報処理装置は、前記演算処理装置によりアクセスされる記憶装置を更に備え、
前記所定のプログラムは、前記演算処理装置により実行され前記記憶装置を検査・復旧するための検査・復旧プログラムである
プログラム。
【発明の詳細な説明】
【技術分野】
【０００１】
本発明は、情報処理装置に関する。特に、本発明は、外部記憶媒体を装着可能な情報処理装置、及びその情報処理装置によって実行されるコンピュータプログラムに関する。
【背景技術】
【０００２】
携帯端末装置等の情報処理装置は、記憶装置として、例えばフラッシュメモリ等の不揮発性メモリを有している。プログラムの不具合や事故などで不揮発性メモリの内容が破壊された場合、その情報処理装置はＵＳＢなどのシリアルインタフェースを介してＰＣに接続され、そのＰＣを用いて復旧作業が行われていた。
【０００３】
また、市場や開発段階において発生した不具合を調査する場合、情報処理装置は、インサーキットエミュレータ（ＩＣＥ）に接続される。ＯＳを含む調査用プログラムは、ＩＣＥから情報処理装置にロードされ、実行される。
【０００４】
このように、従来の情報処理装置においては、不揮発性メモリを復旧するためのプログラムや、市場における不具合を調査するためのプログラムは、ＰＣやＩＣＥから供給されていた。ＩＣＥやＰＣを使用することなく、情報処理装置（携帯端末装置）自体で、調査プログラムや復旧プログラムを実行することができる技術が望まれている。
【０００５】
関連する技術として以下のものが知られている。
【０００６】
特許文献１には、半導体試験装置が開示されている。この従来技術によれば、テストボード上にテストプログラムを格納したボード記憶装置が搭載される。このボード記憶装置からテストプログラムが読み込まれ、被測定半導体装置のテストが行われる。
【０００７】
特許文献２には、画像形成装置が開示されている。この画像形成装置は、ＣＤ−ＲＯＭと、ＲＯＭと、メインコントローラを有する制御装置とを備える。ＣＤ−ＲＯＭには、調整用プログラムが格納される。ＲＯＭには、通常モード用プログラムが格納される。メインコントローラは、通常モード動作選択時は、通常モード用プログラムに基づいて通常モード動作を実行させ、調整動作選択時は、調整用プログラムに基づいて調整動作を実行させ、調整用プログラムに基づいてテストパターンを用紙に出力させる。
【０００８】
特許文献３には、電子回路基板の検査システムが開示されている。この検査システムは、出力データを発生する出力データ発生手段と、その出力データを外部に出力するデータ出力経路とを有する電子回路基板の動作を検査する。この検査システムは、出力データ発生手段からデータ出力経路を介して出力された出力データを一時的に記憶するメモリ手段と、記憶された出力データと出力データ発生手段で発生する出力データとを比較する比較手段とを備えている。
【０００９】
特許文献４には、自動販売機の検査方法が開示されている。この検査方法は、着脱可能な記録媒体の接続が可能な制御装置を備えた自動販売機を検査するための検査方法である。検査用プログラムが記録された記録媒体が制御装置に接続される。制御装置が記録媒体に記録された検査用プログラムを実行することにより、自動販売機の検査が実施される。
【００１０】
特許文献５には、遠隔保守サービス方法が開示されている。このサービス方法によれば、ユーザ端末に障害が発生したとき、このユーザ端末に応じたＯＳ、ＮＯＳが予め記録媒体に記録されたＯＳ、ＮＯＳを起動する。記録媒体に記録されたプログラムは、保守サービスを提供するためのセンターとの回線接続を、ユーザ端末に実行させる。回線接続が完了した後、センターからユーザ端末の障害診断、障害復旧が行われる。
【００１１】
特許文献６には、情報処理装置が開示されている。この情報処理装置は、光カードのプログラムを記憶するメモリと、光カードの装着時にカードに記録されているプログラムとメモリに記憶されているプログラムを比較する手段を備える。両方のプログラムが同一であるときは、光カードからはプログラムは読み出されず、メモリに記憶されているプログラムが実行される。両方のプログラムが異なるときは、光カードからプログラムが読み出され実行される。
【００１２】
【特許文献１】特開２０００−２２７４６１号公報
【特許文献２】特開２０００−３４７８２９号公報
【特許文献３】特開２０００−１４１４３号公報
【特許文献４】特開２００３−４４９１４号公報
【特許文献５】特開平１０−１７３７３４号公報
【特許文献６】特開平１１−１８４７０７号公報
【発明の開示】
【発明が解決しようとする課題】
【００１３】
本発明の目的は、装置の検証や復旧にかかる負担を軽減することができる情報処理装置、及びその情報処理装置により実行されるコンピュータプログラムを提供することにある。
【００１４】
本発明の他の目的は、ＩＣＥやＰＣを使用することなく、不具合の調査やメモリの復旧や装置の動作確認を実行することができる情報処理装置、及びその情報処理装置により実行されるコンピュータプログラムを提供することにある。
【課題を解決するための手段】
【００１５】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００１６】
本発明に係る情報処理装置（１０）は、外部記憶媒体（２００，３００）が接続されるように構成されたインタフェース（５）と、そのインタフェース（５）にアクセス可能な演算処理装置（１）と、その演算処理装置（１）によって実行される処理起動プログラム（２０）が格納された第１記憶装置（２）とを備える。情報処理装置（１０）の「起動時」、演算処理装置（１）は、処理起動プログラム（２０）を実行することによって、インタフェース（５）に接続された外部記憶媒体（２００，３００）から、所定のファイル（２２０，３２０）を検索する。外部記憶媒体（２００，３００）に所定のファイル（２２０，３２０）が格納されている場合、演算処理装置（１）は、所定のファイル（２２０，３２０）を外部記憶媒体（２００，３００）から読み込み実行する。所定のファイル（２２０，３２０）の名前は、処理起動プログラム（２０）内に設定されている。
【００１７】
本発明に係る情報処理装置（１０）は、更に、演算処理装置（１）によりアクセスされる第２記憶装置（４）を備える。上記所定のファイル（２２０，３２０）は、演算処理装置（１）により実行され第２記憶装置（４）を検査・復旧するためのプログラムであってもよい。
【００１８】
また、本発明に係る情報処理装置（１０）において、所定のファイル（２２０，３２０）は、所定のプログラム（２３０，３３０）が指定されたスクリプトファイルであると好適である。そのスクリプトファイルには、所定のプログラム（２３０，３３０）の名前が記載されている。情報処理装置（１０）の起動時、演算処理装置（１）は、インタフェース（５）に接続された外部記憶媒体（２００，３００）から、その所定のプログラム（２３０，３３０）を読み込み実行する。この情報処理装置（１０）は、更に、演算処理装置（１）によりアクセスされる第２記憶装置（４）を備える。上記所定のプログラム（２３０，３３０）は、演算処理装置（１）により実行され第２記憶装置（４）を検査・復旧するためのプログラムである。
【００１９】
本発明に係る情報処理装置（１０）は、例えば、携帯端末装置である。
【００２０】
本発明の他の観点において、情報処理装置（１０）の起動時に実行されるプログラム（２０）が提供される。この情報処理装置（１０）は、外部記憶媒体（２００，３００）が接続されるように構成されたインタフェース（５）と、インタフェース（５）にアクセス可能な演算処理装置（１）とを備える。本発明に係るプログラム（２０）は、（Ａ）情報処理装置（１０）の起動時に、インタフェース（５）に接続された外部記憶媒体（２００，３００）から、所定のファイル（２２０，３２０）を検索するステップと、（Ｂ）外部記憶媒体（２００，３００）に所定のファイル（２２０，３２０）が格納されている場合、所定のファイル（２２０，３２０）を外部記憶媒体（２００，３００）から読み込み実行するステップとを演算処理装置（１）に実行させる。上記（Ａ）ステップにおいて、予め設定されたファイル名に基づいて、上記所定のファイル（２２０，３２０）の検索が実行される。
【００２１】
情報処理装置（１０）は、演算処理装置（１）によりアクセスされる記憶装置（４）を更に備える。上記所定のファイル（２２０，３２０）は、演算処理装置（１）により実行されその記憶装置（４）を検査・復旧するための検査・復旧プログラムであってもよい。
【００２２】
また、上記所定のファイル（２２０，３２０）は、所定のプログラム（２３０，３３０）が指定されたスクリプトファイルであると好適である。この場合、本発明に係るプログラム（２０）は、更に、（Ｃ）インタフェース（５）に接続された外部記憶媒体（２００，３００）から、所定のプログラム（２３０，３３０）を読み込み実行するステップを演算処理装置（１）に実行させる。情報処理装置（１０）は、演算処理装置（１）によりアクセスされる記憶装置（４）を更に備える。上記所定のプログラム（２３０，３３０）は、演算処理装置（１）により実行され記憶装置（４）を検査・復旧するための検査・復旧プログラムである。
【発明の効果】
【００２３】
本発明に係る情報処理装置によれば、ＩＣＥやＰＣを用いることなく、目的に応じたプログラムを実行することが可能となる。特に、本発明に係る情報処理装置、及びその情報処理装置により実行されるコンピュータプログラムによれば、ＩＣＥやＰＣを使用することなく、不具合の調査やメモリの復旧や装置の動作確認を実行することが可能となる。従って、装置の検証や復旧にかかる負担が軽減される。
【発明を実施するための最良の形態】
【００２４】
添付図面を参照して、本発明による情報処理装置、及びその情報処理装置によって実行されるコンピュータプログラムについて説明する。本発明に係る情報処理装置は、メモリカードなどの外部記憶媒体と接続可能である。また、本発明に係る情報処理装置は、例えば、携帯端末装置である。
【００２５】
図１は、本発明に係る情報処理装置（携帯端末装置）の構成を示すブロック図である。この携帯端末装置１０は、バス６を介して互いに接続された、ＣＰＵ（演算処理装置）１、第１不揮発性メモリ２、ＲＡＭ３、第２不揮発性メモリ４、及び記憶媒体インタフェース５を備えている。
【００２６】
第１不揮発性メモリ２として、フラッシュメモリが例示される。この第１不揮発性メモリ２は、セキュリティ上保護されており、特殊な用途に用いられる。ＲＡＭ３として、ＤＲＡＭが例示される。第２不揮発性メモリ４として、フラッシュメモリが例示される。この第２不揮発性メモリ４には、通常用いられるＯＳ４０が格納されている。記憶媒体インタフェース５として、ＵＳＢが例示される。携帯端末装置１０は、この記憶媒体インタフェース５を介して、メモリカードなどの外部記憶媒体と接続される。また、ＣＰＵ１は、記憶媒体インタフェース５にアクセスし、外部記憶媒体とデータのやりとりを行う。
【００２７】
本発明によれば、第１不揮発性メモリ２には、携帯端末装置１０の「起動時（ブート時）」にＣＰＵ１によって実行される検査起動プログラム２０が格納されている。後に詳しく説明されるように、この検査起動プログラム２０は、記憶媒体インタフェース５に接続される外部記憶媒体から、所定のファイルを検索する。その所定のファイルの名前は、検査起動プログラム２０内に予め設定されている。図１に示されるように、その所定のファイルの名前（検索対象ファイル名）は、例えば、「ＣＨＥＣＫ」であるとする。
【００２８】
図２は、本発明に係る携帯端末装置１０の動作を示すフローチャートである。図２を参照して、携帯端末装置１０の動作、特に、検査起動プログラム２０を実行することによるＣＰＵ１の処理を説明する。
【００２９】
最初に、図１に示された状態における処理が説明される。まず、携帯端末装置１０が起動される（ステップＳ１）。ＣＰＵ１は、第１不揮発性メモリ２に格納された検査起動プログラム２０を実行する。次に、記憶媒体インタフェース５に外部記憶媒体が接続されているかどうか調査される（ステップＳ２）。この場合、外部記憶媒体は接続されていない（ステップＳ２；Ｎｏ）。その場合、検査起動プログラム２０の実行は終了する。そして、第２不揮発性メモリ４に格納されたＯＳ４０がＲＡＭ３にロードされ、通常の起動処理が実行される（ステップＳ１００）。
【００３０】
次に、図３に示された状態における処理が説明される。この場合、携帯端末装置１０には、記憶媒体インタフェース５を介して外部記憶媒体１００が接続されている。外部記憶媒体１００には、ファイル群（プログラム群）１１０ａ〜１１０ｃが格納されている。これらファイル群１１０ａ〜１１０ｃのそれぞれの名前は、「ＡＡＡ」、「ＢＢＢ」及び「ＣＣＣ」であるとする。また、これらのファイル群１１０ａ〜１１０ｃにＯＳは含まれていないとする。
【００３１】
この場合、上記ステップＳ２において、外部記憶媒体１００が接続されていると判定される（ステップＳ２；Ｙｅｓ）。次に、その外部記憶媒体１００に格納されたＯＳの起動が試みられる。この例では、外部記憶媒体１００にはＯＳは含まれていない（ステップＳ３；Ｎｏ）。その場合、第２不揮発性メモリ４に格納された内蔵のＯＳ４０がＲＡＭ３にロードされ実行される（ステップＳ５）。次に、外部記憶媒体１００から、上記所定のファイル（ファイル名：ＣＨＥＣＫ）が検索される（ステップＳ６）。この場合、外部記憶媒体１００には、その所定のファイルは格納されていない（ステップＳ６；Ｎｏ）。その場合、検査起動プログラム２０の実行は終了する。そして、通常の起動処理が実行される（ステップＳ１００）。尚、内臓のＯＳ４０が壊れている場合、ステップＳ５で処理は終了する。
【００３２】
次に、図４に示された状態における処理が説明される。この場合、携帯端末装置１０には、記憶媒体インタフェース５を介して外部記憶媒体２００が接続されている。外部記憶媒体２００には、ＯＳ２１０、スクリプトファイル２２０、メモリ検査用の検査プログラム２３０ａ及び２３０ｂが格納されている。スクリプトファイル２２０の名前は、「ＣＨＥＣＫ」であるとする。また、スクリプトファイル２２０には、所定のプログラム及びその所定のプログラムのロード先アドレスが指定されているとする。特に、スクリプトファイル２２０には、その所定のプログラムの名前が記載されているとする。
【００３３】
この場合、上記ステップＳ２において、外部記憶媒体２００が接続されていると判定される（ステップＳ２；Ｙｅｓ）。次に、その外部記憶媒体２００に格納されたＯＳの起動が試みられる。この例では、外部記憶媒体２００にはＯＳ２１０は格納されている（ステップＳ３；Ｙｅｓ）。よって、外部記憶媒体２００に格納されたＯＳ２１０がＲＡＭ３にロードされ実行される（ステップＳ４）。次に、外部記憶媒体２００から、上記所定のファイル（ファイル名：ＣＨＥＣＫ）が検索される（ステップＳ６）。この場合、外部記憶媒体２００には、その所定のファイル（スクリプトファイル２２０）が格納されている（ステップＳ６；Ｙｅｓ）。その場合、そのスクリプトファイル２２０が読み込まれ、ＲＡＭ３の任意のアドレスへロードされる。
【００３４】
次に、ＣＰＵ１（検査起動プログラム２０）は、そのスクリプトファイル２２０の内容を解析する（ステップＳ７）。これにより、スクリプトファイル２２０により指定された所定のプログラム（検査プログラム２３０）の名前、及びそのロード先アドレスが得られる。次に、指定された所定のプログラムが外部記憶媒体２００に存在するかどうか確認（検索）される（ステップＳ８）。指定されたプログラムが存在しない場合（ステップＳ８；Ｎｏ）、検査起動プログラム２０の実行は終了する。そして、通常の起動処理が実行される（ステップＳ１００）。
【００３５】
今、スクリプトファイル２２０には、所定のプログラムとして検査プログラム２３０ａが指定されているとする。この場合（ステップＳ８；Ｙｅｓ）、外部記憶媒体２００から検査プログラム２３０ａが読み込まれ、ＲＡＭ３中の指定されたロード先アドレスにロードされる（ステップＳ９）。そして、処理はそのアドレスに移される。その後、検査プログラム２３０ａがＣＰＵ１により実行され、第２不揮発性メモリ４の検査（調査）が実行される（ステップＳ１０）。
【００３６】
このように、本発明に係る携帯端末装置１０によれば、装置の起動時に、自動的に所定のプログラムが検索され実行される。ここで、外部のＰＣやインサーキットエミュレータ（ＩＣＥ）を用いる必要はない。つまり、ＩＣＥやＰＣを用いることなく、不具合の調査や動作確認といった目的に応じた目的に応じたプログラムを実行することが可能となる。従って、装置の検証や復旧にかかる負担が軽減される。尚、上述の説明においては、所定のファイルとしてスクリプトファイル２２０が例示されたが、「ＣＨＥＣＫ」という名のファイル自身がそのまま検査用プログラムであってもよい。
【００３７】
次に、図５に示された状態における処理が説明される。この場合、携帯端末装置１０には、記憶媒体インタフェース５を介して外部記憶媒体３００が接続されている。外部記憶媒体３００には、ＯＳ３１０、スクリプトファイル３２０、メモリ復旧用の復旧プログラム３３０ａ及び３３０ｂが格納されている。スクリプトファイル３２０の名前は、「ＣＨＥＣＫ」であるとする。また、スクリプトファイル３２０には、所定のプログラム及びその所定のプログラムのロード先アドレスが指定されているとする。特に、スクリプトファイル３２０には、その所定のプログラムの名前が記載されているとする。
【００３８】
この場合、図４に示された場合と比較して、スクリプトファイル３２０の内容は変わっているが、スクリプトファイル３２０の名前は同じ（「ＣＨＥＣＫ」）である。従って、図４に示された場合と同様に処理が進む。すなわち、スクリプトファイル３２０が自動的に検索され実行される。更に、例えば復旧プログラム３３０ａが自動的に検索され実行される。これにより、第２不揮発性メモリ４の復旧が実行される。
【００３９】
このように、本発明によれば、検査起動プログラム２０により指定される名前（「ＣＨＥＣＫ」）を有するファイルさえ用意されていれば、処理の内容を自由に設定することが可能となる。言い換えれば、所定のファイルに共通の名前が付与され、所望の処理に応じて、その所定のファイルの中身が変更されればよい。この点において、所定のファイルはスクリプトファイルであることが好ましい。ユーザは、スクリプトファイルに目的に応じた所定のプログラムの名前を指定しておけばよい。所定のプログラムは、流用されればよい。このように、本発明に係る検査起動プログラム２０は、柔軟性に優れ、様々なケースに対応することができる。
【００４０】
また、図４及び図５に示されたように、目的に応じて様々な外部記憶媒体が用意されていると好適である。各々の外部記憶媒体には、検査起動プログラム２０により指定される同じ名前を有するスクリプトファイル２２０、３２０が格納されていればよい。各々のスクリプトファイルには、用途に応じたプログラムの名前が指定されている。用途としては、第２不揮発性メモリ４の不具合の検査や復旧、動作確認、ユーザデータの保存・復旧などが例示される。指定された用途別プログラムは、同じ外部記憶媒体に格納されていればよい。これにより、ユーザは、外部記憶装置を付け替えるだけで、携帯端末装置１０に対して様々な処理を実行できる。従って、装置の検証や復旧にかかる負担が軽減される。
【００４１】
本発明に係る情報処理装置によれば、ＩＣＥやＰＣを用いることなく、目的に応じたプログラムを実行することが可能となる。その目的としては、例えば、不具合の調査、メモリの復旧、装置の動作確認、ユーザデータの保存・復旧などが挙げられる。これにより、装置の検証や復旧にかかる負担が軽減される。更に、外部記憶媒体に格納される所定のファイルの名前を変えずに内容を変えることによって、様々なケースに対応することが可能となる。これによっても、装置の検証や復旧にかかる負担が軽減される。
【図面の簡単な説明】
【００４２】
【図１】図１は、本発明に係る携帯端末装置の構成を示すブロック図である。
【図２】図２は、本発明に係る携帯端末装置の動作を示すフローチャートである。
【図３】図３は、本発明に係る携帯端末装置の動作の一例を説明するためのブロック図である。
【図４】図４は、本発明に係る携帯端末装置の動作の他の例を説明するためのブロック図である。
【図５】図５は、本発明に係る携帯端末装置の動作の更に他の例を説明するためのブロック図である。
【符号の説明】
【００４３】
１    ＣＰＵ
２    第１不揮発性メモリ
３    ＲＡＭ
４    第２不揮発性メモリ
５    記憶媒体インタフェース
６    バス
１０    携帯端末装置
２０    検査起動プログラム
４０    ＯＳ
１００    外部記憶媒体
１１０    ファイル
２００    外部記憶媒体
２１０    ＯＳ
２２０    スクリプトファイル
２３０    検査プログラム
３００    外部記憶媒体
３１０    ＯＳ
３２０    スクリプトファイル
３３０    復旧プログラム
【図１】
2006228153.tif 000003
【図２】
2006228153.tif 000004
【図３】
2006228153.tif 000005
【図４】
2006228153.tif 000006
【図５】
2006228153.tif 000007